(57)【要約】【課題】形状が復元できないように変形することなく、遊技機を構成している構成部材を他の構成部材に設定された所定の取り付け位置に正確に位置決めすることができる遊技機を提供する。【解決手段】センター役物５８には、遊技盤５０側へ向けて突出する位置決め突起７０が設けられ、遊技盤５０には、センター役物５８の位置決め突起７０が挿入可能であり、且つ、挿入された位置決め突起７０を抜き出し可能な位置決め孔８０が設けられ、センター役物５８と遊技盤５０とが互いに固定される位置にて当接されると、位置決め突起７０が位置決め孔８０に挿入され、位置決め突起７０の挿入部７１の根元部が位置決め孔８０の内周壁に当接される。【選択図】図８
2012081009.tif 000002
【特許請求の範囲】
【請求項１】
第一構成部材と第二構成部材とを互いに固定された状態で備える遊技機であって、
前記第一構成部材には、前記第二構成部材側へ向けて突出する突起が設けられ、
前記突起には、
根元側から先端側へ行くに従い先細り状に形成される挿入部と、
前記挿入部の根元側に連設されて、当該挿入部における根元部の外形よりも内側に凹んだ外形を有する台座部と、
前記挿入部の先端部から前記台座部の少なくとも一部に渡って形成されて前記突起を径方向に分割するスリット部と、
が設けられ、
前記第二構成部材には、前記第一構成部材の前記突起が挿入可能であり、且つ、挿入された当該突起を抜き出し可能な挿入孔が設けられ、
前記第一構成部材と前記第二構成部材とが互いに固定される位置にて当接されると、前記突起が前記挿入孔に挿入され、当該突起の前記挿入部の根元部が当該挿入孔の内周壁に当接される、
ことを特徴とする遊技機。
【発明の詳細な説明】
【技術分野】
【０００１】
本発明は、遊技機の技術に関し、特に遊技機を構成している構成部材を他の構成部材に設定された所定の取り付け位置に位置決めする技術に関する。
【背景技術】
【０００２】
従来、遊技機において、遊技機を構成している構成部材を取り付ける際に、当該構成部材を他の構成部材に設定された所定の取り付け位置に位置決めし、その後に固定する技術が公知となっている。例えば、特許文献１に記載の如くである。
特許文献１では、パチンコ遊技機（以下、遊技機と称する。）において、遊技機を構成している構成部材である入賞球用裏樋（以下、裏樋と称する。）を他の構成部品である遊技盤に取り付ける際に、当該裏樋を当該遊技盤に設定された所定の取り付け位置に位置決めし、その後に固定する技術が記載されている。
【０００３】
具体的には、前記遊技機において、前記裏樋には位置決め突起が突設される一方、当該裏樋が取り付けられるパチンコ遊技盤（以下、遊技盤と称する。）の裏面には、当該位置決め突起を挿入するための位置決め穴が所定の取り付け位置に穿設される。
位置決め突起は、裏樋本体から遊技盤側へ向けて略円錐台形状に突出されて、当該位置決め突起の先端側（遊技盤側）の外径が根元側（裏樋本体側）の外径よりも小さく形成される。他方、位置決め穴は、当該位置決め穴の内径が、位置決め突起の先端側の外径よりも大きく、且つ当該位置決め突起の根元側の外径よりも小さく形成される。
【０００４】
このような構成により、裏樋を遊技盤に取り付ける際に行われる、当該遊技盤に設定された所定の取り付け位置への当該裏樋の位置決めは、当該裏樋の位置決め突起を、当該遊技盤の位置決め穴に挿入することによって行われる。そして、位置決め突起の根元側の外径は、位置決め穴の内径よりも大きいので、当該位置決め穴に挿入された当該位置決め突起は、当該位置決め穴の開口部の周縁部に当該位置決め突起の外周壁が当接した状態で保持される。つまり、位置決め突起は、位置決め穴に対してガタつくことがないので、裏樋を遊技盤に設定された所定の取り付け位置に正確に位置決めすることができる。
【先行技術文献】
【特許文献】
【０００５】
【特許文献１】特開平９−２０６４４６号公報
【発明の概要】
【発明が解決しようとする課題】
【０００６】
しかしながら、特許文献１に記載の技術では、遊技盤（他の構成部材）に設定された所定の取り付け位置への裏樋（構成部材）の位置決めは、未だ十分に正確でなかった。
具体的には、かかる技術において、位置決め突起の根元側の外径が、位置決め穴の内径よりも大きいので、当該位置決め突起を当該位置決め穴に挿入する際には、当該位置決め突起と当該位置決め穴との少なくともいずれか一方を押し潰すように当該位置決め突起を押し込む必要があった。したがって、位置決め突起の押し込みが不十分であると、当該位置決め突起の位置決め穴への挿入が不十分となり、当該位置決め突起が当該位置決め穴から浮いてしまい、裏樋を遊技盤に設定された所定の取り付け位置に正確に位置決めすことができないという問題点があった。
また、位置決め突起を位置決め穴へ十分に挿入する（押し込む）と、当該位置決め突起と当該位置決め穴との少なくともいずれか一方が押し潰されることがあった。かかる場合には、位置決め突起と位置決め穴との形状（換言すれば、遊技機の形状）が、復元できないように変形してしまうという問題点があった。
【０００７】
本発明は上記のような問題点に鑑みてなされたものであり、その解決しようとする課題は、形状が復元できないように変形することなく、遊技機を構成している構成部材を他の構成部材に設定された所定の取り付け位置に正確に位置決めすることができる遊技機を提供することである。
【課題を解決するための手段】
【０００８】
本発明の解決しようとする課題は以上の如くであり、次にこの課題を解決するための手段を説明する。
【０００９】
即ち、請求項１においては、第一構成部材と第二構成部材とを互いに固定された状態で備える遊技機であって、前記第一構成部材には、前記第二構成部材側へ向けて突出する突起が設けられ、前記突起には、根元側から先端側へ行くに従い先細り状に形成される挿入部と、前記挿入部の根元側に連設されて、当該挿入部における根元部の外形よりも内側に凹んだ外形を有する台座部と、前記挿入部の先端部から前記台座部の少なくとも一部に渡って形成されて前記突起を径方向に分割するスリット部と、が設けられ、前記第二構成部材には、前記第一構成部材の前記突起が挿入可能であり、且つ、挿入された当該突起を抜き出し可能な挿入孔が設けられ、前記第一構成部材と前記第二構成部材とが互いに固定される位置にて当接されると、前記突起が前記挿入孔に挿入され、当該突起の前記挿入部の根元部が当該挿入孔の内周壁に当接されるものである。
【発明の効果】
【００１０】
本発明の効果として、以下に示すような効果を奏する。
【００１１】
請求項１においては、遊技機の形状が復元できないように変形することなく、遊技機を構成している構成部材を他の構成部材に設定された所定の取り付け位置に正確に位置決めすることができる。
【図面の簡単な説明】
【００１２】
【図１】本発明の一実施形態に係る遊技機の全体的な構成を示す正面図。
【図２】同じく、遊技盤を示す正面図。
【図３】（ａ）同じく、位置決め突起を示す背面図。（ｂ）同じく、位置決め突起を示す平面断面図。
【図４】（ａ）同じく、弾性変形した状態の位置決め突起を示す背面図。（ｂ）同じく、弾性変形した状態の位置決め突起を示す平面断面図。
【図５】（ａ）同じく、位置決め孔を示す正面図。（ｂ）同じく、位置決め孔を示す平面断面図。
【図６】同じく、位置決め突起を位置決め孔に挿入前の状態を示す平面断面図。
【図７】同じく、位置決め突起を位置決め孔に挿入途中の状態を示す平面断面図。
【図８】（ａ）同じく、位置決め突起を位置決め孔に挿入後の状態を示す平面断面図。（ｂ）同じく、位置決め突起を位置決め孔に挿入後の状態を示す、図８（ａ）におけるＡ部の拡大図。
【図９】同じく、位置決め孔が遊技盤を貫通している場合での、位置決め突起を位置決め孔に挿入後の状態を示す平面断面図。
【発明を実施するための形態】
【００１３】
まず、本発明の一実施形態に係る遊技機１の全体構成について、図１を用いて説明する。
なお、以下の説明において、遊技機１を遊技者から見て、手前側を遊技機１の前側とし、奥側を遊技機１の後側として、遊技機１の前後方向を規定する。また、遊技機１を遊技者から見て、左手側を遊技機１の左側とし、右手側を遊技機１の右側として、遊技機１の左右方向を規定する。
【００１４】
遊技機１には、機体の外郭を成す外枠１０が設けられる。外枠１０は、前後面が開口される略四角筒状の枠体である。外枠１０は、パチンコホール等の遊技場に設けられる台島に設置される。外枠１０の前側の開口部には、略四角形状の枠体である中枠２０が、ヒンジ等の軸支部材を介して回動可能に支持される。中枠２０には、遊技領域６０が形成される遊技盤５０が着脱自在に取り付けられる（図２参照）。また、中枠２０には、下皿ユニット４０が固定される。また、中枠２０には、略平板状の枠体である窓枠３０が、ヒンジ等の軸支部材を介して回動可能に支持される。
【００１５】
窓枠３０の略中央には、正面視で略円形状の窓枠開口部３１が開口される。窓枠開口部３１には、透明板３４が被覆されて、中枠２０に支持された遊技盤５０の遊技領域６０を前方から視認することができる。また、窓枠３０の窓枠開口部３１の下方には、発射前の遊技球が貯溜される上皿３２が配設される。また、窓枠３０の窓枠開口部３１の左右上方には、スピーカ３３がそれぞれ配設される。
【００１６】
下皿ユニット４０は、窓枠３０の下方に配置される。下皿ユニット４０の略中央には、上皿３２から溢れた遊技球が貯溜される下皿４１が配設される。また、下皿ユニット４０の右側部には、図示せぬ遊技球発射装置に連結され、上皿３２に貯溜された遊技球を遊技領域６０へ向けて発射可能に構成される発射ハンドル４２が配設される。
【００１７】
次に、遊技盤５０の構成について、図２を用いてさらに詳細に説明する。
なお、遊技盤５０は、本発明に係る「第二構成部材」の一実施形態であり、これに限定するものでない。すなわち、「第二構成部材」とは、本発明に係る「遊技機」を構成している部材であればよい。
【００１８】
遊技盤５０は、基体５１と、図柄表示手段５２と、ガイドレール５３と、一般入賞口５４と、大入賞装置５５と、可変入賞装置５６と、アウト口５７と、センター役物５８と、を備える。
【００１９】
基体５１は、遊技盤５０の主たる構造体を成す部材である。基体５１は、略平板状の部材であり、遊技盤５０の各構成部材が取り付けられる。基体５１の略中央には、図柄表示手段５２を取り付けるための図柄表示開口部６１が正面視で略矩形状に開口される。
【００２０】
図柄表示手段５２は、図柄や数字を変動表示する液晶画面６２を備える装置である。図柄表示手段５２は、液晶画面６２を前方へ向けた状態で、基体５１の後面側に取り付けられる。液晶画面６２は、図柄表示開口部６１を通じて前方を臨むように配置され、基体５１の前方から視認可能となっている。
【００２１】
ガイドレール５３は、外ガイドレール６３ａと、内ガイドレール６３ｂとを備える。
外ガイドレール６３ａおよび内ガイドレール６３ｂは、正面視で略円弧状に形成される金属製の帯状の部材である。外ガイドレール６３ａは、基体５１の左側および上側の外周を周回するように配置される。内ガイドレール６３ｂは、外ガイドレール６３ａよりも基体５１の内側であって、基体５１の左側および下側の外周を周回するように配置される。外ガイドレール６３ａおよび内ガイドレール６３ｂは、短手方向を前後方向として基体５１の前面側から前方へ突出される。
なお、基体５１の略中央の外ガイドレール６３ａと内ガイドレール６３ｂとにより略円形状に区画形成された領域が、遊技球が転動する領域である遊技領域６０とされる。また、基体５１の左側部の外ガイドレール６３ａと内ガイドレール６３ｂとの間に略円弧形状に区画形成された領域が、前記遊技球発射装置により発射された遊技球が通過する領域である発射通路５９とされる。そして、発射ハンドル４２の回動操作に応じて、遊技球が発射通路５９を通過して遊技領域６０へ放出されることとなる。
【００２２】
一般入賞口５４は、上面が開口するポケット状に形成され、遊技球を入賞可能とする部材である。一般入賞口５４に遊技球が入賞すると、図示せぬ賞球払出装置によって所定数の賞球（遊技球）が払い出される。一般入賞口５４は、基体５１における遊技領域６０の下部に複数個が配置される。
【００２３】
大入賞装置５５は、大当たり抽選により大当たりが選択されると、大入賞口６５を開放して遊技球を入賞可能とする装置である。大入賞口６５に遊技球が入賞すると、前記賞球払出装置によって所定数の賞球（遊技球）が払い出される。大入賞装置５５は、基体５１における遊技領域６０の中央下部に配置される。
【００２４】
可変入賞装置５６は、所定の作動条件を満たすと、左右一対の可動片の動作に応じて、遊技球が入賞可能な開放状態または入賞不能な閉鎖状態に切り替える装置である。可変入賞装置５６に遊技球が入賞すると、前記賞球払出装置によって所定数の賞球（遊技球）が払い出されると共に、図示せぬ抽選装置によって大当たり抽選が開始される。可変入賞装置５６は、基体５１の遊技領域６０の略中央であって、大入賞装置５５の上方に配置される。
【００２５】
アウト口５７は、発射通路５９を通過して遊技領域６０へ放出された遊技球が、一般入賞口５４や大入賞口６５等の各入賞口に入賞しなかった場合に、最終的に流入する開口部である。アウト口５７に流入した遊技球は、パチンコホール等の遊技場側に回収される。アウト口５７は、基体５１における遊技領域６０の最下部に配置される。
【００２６】
センター役物５８は、液晶画面６２の周囲に配設され、当該液晶画面６２を装飾するものである。また、センター役物５８には、遊技球を転動せしめるためのステージが形成され、当該ステージ上に案内されてきた遊技球は、当該ステージ上を転動した後に下方（可変入賞装置５６側）へ落下する。
センター役物５８は、遊技盤５０に取り付けられる際に、当該遊技盤５０に設定された所定の取り付け位置に位置決めされ、その後に、ネジ６６を用いて固定される。センター役物５８には、遊技盤５０に設定された所定の取り付け位置に位置決めするための位置決め突起７０が設けられる（図３参照）。
なお、センター役物５８は、本発明に係る「第一構成部材」の一実施形態であり、これに限定するものでない。すなわち、「第一構成部材」とは、本発明に係る「遊技機」を構成している部材であればよい。
【００２７】
次に、センター役物５８を遊技盤５０に取り付ける際に行われる、当該遊技盤５０に設定された所定の取り付け位置への当該センター役物５８の位置決めについて、図３から図８を用いて説明する。
【００２８】
センター役物５８を遊技盤５０に取り付ける際に行われる、当該遊技盤５０に設定された所定の取り付け位置への当該センター役物５８の位置決めは、センター役物５８の位置決め突起７０を、後述する遊技盤５０の位置決め孔８０に挿入することによって行われる。
以下では、センター役物５８の位置決め突起７０および遊技盤５０の位置決め孔８０の構成について、さらに詳細に説明する。
【００２９】
まず、センター役物５８の位置決め突起７０の構成について、図３および図４を用いて説明する。
なお、位置決め突起７０は、本発明に係る「突起」の一実施形態である。
【００３０】
位置決め突起７０は、遊技盤５０の位置決め孔８０に挿入するためのものである。位置決め突起７０は、センター役物５８の後端面から後方（遊技盤５０側）へ向けて突設される。
位置決め突起７０は、挿入部７１と、台座部７２と、スリット部７３とを備える。
【００３１】
挿入部７１は、本発明に係る「挿入部」の一実施形態である。挿入部７１は、図３（ｂ）に示すように、位置決め突起７０の概ね後部（先端部）に配設される。挿入部７１は、略円柱状であって、一端側（根元側）から他端側（先端側）へ行くに従い先細り状に形成される。挿入部７１は、先細り状に形成される前記先端側を後方へ向けて、当該挿入部７１の軸心方向を位置決め突起７０の突出方向、つまり前後方向として配置される。
なお、本実施形態において、挿入部７１は略円柱形状に形成されているが、この構成に限定するものでない。つまり、挿入部７１は、一端側（根元側）から他端側（先端側）へ行くに従い先細り状に形成される形状であればよく、例えば、略四角柱形状や略三角柱形状等で形成され得る。
【００３２】
台座部７２は、本発明に係る「台座部」の一実施形態である。台座部７２は、図３（ｂ）に示すように、位置決め突起７０の概ね前部（根元部）に配設され、挿入部７１の前端側（根元側）に連設される。つまり、台座部７２は、その後端部で挿入部７１と連なって形成され、当該挿入部７１と前後に配置される。また、台座部７２は、その前端部でセンター役物５８本体（さらに詳細には、センター役物５８の後端面）に連なって形成される。台座部７２は、略円柱状に形成され、その軸心方向を位置決め突起７０の突出方向、つまり前後方向として配置される。台座部７２の軸心は、挿入部７１の軸心の前方の延長線上に配置される。
【００３３】
また、台座部７２は、略円柱形状に形成され、挿入部７１における前端部（根元部）の外形よりも内側に凹んだ外形を有する。具体的には、台座部７２は、挿入部７１における前端部の外径（図３における符号Ｗ１）よりも、当該台座部７２の最大外径（図３における符号Ｗ２）の方が小さく形成される。したがって、図３（ａ）に示すように、台座部７２は、背面視で挿入部７１の投影面積内に収められる。
【００３４】
スリット部７３は、本発明に係る「スリット部」の一実施形態である。スリット部７３は、図３に示すように、位置決め突起７０を径方向に分割する切断領域である。スリット部７３は、図３（ａ）に示すように、背面視で略十字状に形成され、位置決め突起７０が径方向に４つに分割される。即ち、スリット部７３は、位置決め突起７０における略円柱形状の中心を通り径方向へ延出する２本の直線状の溝により構成されており、前記２本の溝は互いに直交している。
なお、以下では、図３（ａ）に示すように、挿入部７１における４つに分割された部位を、それぞれ「挿入分割部７１ａ」と称する。各挿入分割部７１ａの大きさは、特に限定するものではないが、それぞれが同一であることが望ましい。また、スリット部７３は、背面視で略十字状に形成される構成に限定されるものでない。つまり、スリット部７３は、例えば背面視で略一字状に形成され、位置決め突起７０が径方向に２つに分割される構成等、位置決め突起７０が径方向に複数個に分割される構成であればよい。
【００３５】
また、スリット部７３は、平面視で、挿入部７１の後端部（先端部）から台座部７２の後端部側（先端部側）の少なくとも一部に渡って形成される。つまり、スリット部７３は、位置決め突起７０の後端部から前方へ向けて延出して、当該スリット部７３の前端部（図３における符号Ｐ１）が台座部７２の後端部（図３における符号Ｐ２）よりも前側に位置するように形成される。なお、スリット部７３の前端部Ｐ１は、台座部７２の後端部Ｐ２よりも前側に位置すればよく、例えば、台座部７２の前端部（図３における符号Ｐ３）と平面視で前後方向における同一箇所に位置するように形成され、スリット部７３が台座部７２の前後方向の全部に渡って形成される構成であってもよい。なお、以下では、台座部７２において、図３に示すように、台座部７２の後端部Ｐ２からスリット部７３の前端部Ｐ１までの間の部位を、「弾性変形部７２ａ」と称する。
【００３６】
このような構成により、位置決め突起７０において、台座部７２の弾性変形部７２ａは、当該台座部７２の他の部位（弾性変形部７２ａよりも前側の部位、つまり台座部７２においてスリット部７３の前端部Ｐ１よりも前側の部位）や、各挿入分割部７１ａと比べて、径方向の厚みが薄く形成され、当該径方向へ弾性変形可能に構成される。したがって、図４に示すように、各挿入分割部７１ａを内径方向へ向けてそれぞれ押圧すれば、当該各挿入分割部７１ａの前端側に連設された弾性変形部７２ａがその押圧方向（内径方向）へ向けて弾性変形し、当該各挿入分割部７１ａがその押圧方向（内径方向）へ向けてそれぞれ移動することとなる。つまり、各挿入分割部７１ａは、図４（ａ）に示すように、上下および左右方向に隣り合う挿入分割部７１ａとのスリット部７３の幅がそれぞれ狭くなるように移動して、挿入部７１は、押圧後の最大外径（図４における符号Ｗ１０）が押圧前の最大外径（図４における符号Ｗ１）よりも小さくなるように変形することとなる。
なお、本実施形態において、挿入部７１は略円柱状に形成されるものであるので、当該挿入部７１の押圧前の最大外径は、当該挿入部７１の前端部の外径と同一であり、図面において同一の符号Ｗ１にて示すこととする。
【００３７】
次に、遊技盤５０の位置決め孔８０について、図５を用いて説明する。
なお、位置決め孔８０は、本発明に係る「挿入孔」の一実施形態である。
【００３８】
位置決め孔８０は、前記センター役物５８の位置決め突起７０が挿入可能であり、且つ、挿入された当該位置決め突起７０を抜き出し可能に構成されるものである。
位置決め孔８０は、遊技盤５０に設定されたセンター役物５８の所定の取り付け位置に穿設される。位置決め孔８０は、略円柱状であって、軸心方向を位置決め突起７０の挿入方向である前後方向に向けて穿孔される。
なお、本実施形態において、位置決め孔８０は、略円柱形状に穿孔されているが、この構成に限定するものでない。つまり、位置決め孔８０は、例えば、略四角柱形状や略三角柱形状等で穿孔され得る。さらに、位置決め孔８０は、有底筒状に穿孔されているが、遊技盤５０を貫通する構成であってもよい（図９参照）。
また、本実施形態において、位置決め孔８０は、略円柱形状であって軸心方向を前後方向として穿孔されている。換言すれば、当該位置決め孔８０の内周壁は、前後方向に向けて真っ直ぐに延設されているが、この構成に限定するものでない。つまり、位置決め孔８０の内周壁は、後方へ行くに従い拡径される構成であってもよいし、真っ直ぐに延設されているのでなく段差を有する構成であってもよい。
【００３９】
また、位置決め孔８０は、当該位置決め孔８０の内径（図５における符号Ｗ３）が、位置決め突起７０の挿入部７１の最大外径Ｗ１よりも小さく形成される。また、位置決め孔８０は、当該位置決め孔８０の内径Ｗ３が、位置決め突起７０の台座部７２の最大外径Ｗ２よりも大きく形成される。また、位置決め孔８０は、当該位置決め孔８０に位置決め突起７０を挿入させると台座部７２の全部が当該位置決め孔８０内に挿入され、当該挿入部７１の根元部が当該位置決め孔８０の内周壁に当接するように構成される。
なお、本実施形態においては、台座部７２は、位置決め突起７０が位置決め孔８０に挿入されると、当該台座部７２の全部が当該位置決め孔８０内に挿入される構成であるが、この構成に限定するものでない。
【００４０】
次に、遊技盤５０の位置決め孔８０へのセンター役物５８の位置決め突起７０の挿入について、図６から図８を用いて説明する。
【００４１】
図６に示すように、センター役物５８を遊技盤５０に取り付ける際に、当該センター役物５８は当該遊技盤５０に設定された所定の取り付け位置の前方であって対向する位置に配置される。つまり、センター役物５８の位置決め突起７０が、遊技盤５０の位置決め孔８０の前方であって、位置決め突起７０の軸心が位置決め孔８０の軸心の延長線上となる位置に配置される。そして、センター役物５８が後方（遊技盤５０側）へ移動することによって、位置決め突起７０は、当該センター役物５８とともに後方（遊技盤５０側）へ移動し、当該位置決め突起７０の後端部（先端部）から位置決め孔８０に挿入されることとなる。
【００４２】
しかしながら、前述したように、位置決め突起７０の挿入部７１の最大外径Ｗ１は、位置決め孔８０の内径Ｗ３よりも大きく形成されている。したがって、図６に示すように、位置決め突起７０は、位置決め孔８０に挿入される途中で、挿入部７１（各挿入分割部７１ａ）の外周壁と位置決め孔８０の前端部の周縁部とが当接し、当該位置決め突起７０の挿入が一旦規制されることとなる。
【００４３】
そして、さらに位置決め突起７０を位置決め孔８０に挿入しようとすると、位置決め突起７０の挿入部７１（各挿入分割部７１ａ）の外周壁が位置決め孔８０の前端部の周縁部を押圧し、その押圧による反力が挿入部７１（各挿入分割部７１ａ）に作用する。そして、当該押圧による反力は、内径方向へ向けて作用するので、位置決め突起７０の挿入部７１（各挿入分割部７１ａ）が、内径方向へ向けて押圧されることとなる。
【００４４】
挿入部７１（各挿入分割部７１ａ）は、内径方向へ向けて押圧されると、前述したように、押圧後の最大外径Ｗ１０が押圧前の最大外径Ｗ１よりも小さくなるように変形することとなる（図４参照）。そして、図７に示すように、挿入部７１の押圧後の最大外径Ｗ１０が、位置決め孔８０の内径Ｗ３よりも小さくなるように変形すると、位置決め突起７０は位置決め孔８０に挿入可能となる。つまり、位置決め突起７０は、挿入部７１が前端側から後端側へ行くに従い先細り状に形成されているので、挿入部７１（挿入分割部７１ａ）の外周壁を位置決め孔８０の前端部の周縁部に当接させて、前記押圧による反力によって挿入部７１の外径が小さくなるように変形しながら、換言すれば挿入部７１（各挿入分割部７１ａ）の外周壁を位置決め孔８０の前端部の周縁部に摺動しながら、当該位置決め孔８０に挿入される（押し込まれる）こととなる。
【００４５】
図８（ａ）に示すように、位置決め突起７０が位置決め孔８０に挿入されて、センター役物５８の後端面と遊技盤５０の前面とが接触すると、当該位置決め突起７０の挿入は終了する。逆を言えば、センター役物５８と遊技盤５０とが互いに固定される位置にて当接されると、位置決め突起７０が位置決め孔８０に挿入される。そして、位置決め突起７０の挿入部７１の根元部は、位置決め孔８０の内周壁に当接されることとなる。
【００４６】
なお、前述したように、位置決め孔８０は、当該位置決め孔８０に位置決め突起７０を挿入させると、本実施形態においては台座部７２の全部が当該位置決め孔８０内に挿入される。なお、挿入部７１の根元部は、位置決め孔８０の内周壁に当接するように構成される。
このような構成により、例えば、位置決め孔８０が本実施形態における有底筒状でなく、前述したように遊技盤５０を貫通する構成であっても、図９に示すように、位置決め突起７０の挿入部７１の一部分（先端部分）が遊技盤５０から後方へ向けて突出するが、当該挿入部７１の一部分（根元部）は、位置決め孔８０の内周壁に当接している。つまり、位置決め孔８０が遊技盤５０を貫通する構成であっても、位置決め突起７０の挿入部７１の全部が位置決め孔８０（遊技盤５０）から後方へ向けて突出し、位置決め突起７０の挿入部７１の前端面と遊技盤５０の後端面とが当接する状態（位置決め孔８０の内周壁が挿入部７１よりも内側に凹んだ台座部７２に係止される状態）と、ならない。
【００４７】
このような構成により、位置決め突起７０の位置決め孔８０への挿入が終了した状態において、センター役物５８と遊技盤５０とは接触（当接）しており、これらの間に隙間が形成されていない。つまり、センター役物５８を遊技盤５０に設定された所定の取り付け位置に正確に位置決めすることができる。また、位置決め突起７０と位置決め孔８０との少なくともいずれか一方を押し潰すように当該位置決め突起７０を押し込む必要がない。つまり、位置決め突起７０と位置決め孔８０との形状（換言すれば、遊技機１の形状）が、復元できないように変形することを防止することができる。
【００４８】
さらに、位置決め突起７０の挿入が終了した状態において、位置決め突起７０は、挿入部７１の外径が小さく変形されて、当該挿入部７１（各挿入分割部７１ａ）の外周壁と位置決め孔８０の内周壁とが相互に接触した状態となっている。つまり、各挿入分割部７１ａには、当該各挿入分割部７１ａの前端側に連設されて弾性変形している弾性変形部７２ａの復元力が作用して、当該各挿入分割部７１ａの外周壁が位置決め孔８０の内周壁を外径方向へ向けて押圧することとなる。その結果、位置決め突起７０が位置決め孔８０から容易に抜けることを防止することができる。また、位置決め突起７０は位置決め孔８０に対してガタつかないため、センター役物５８を遊技盤５０に設定された所定の取り付け位置に正確に位置決めすることができる。
なお、前述したように、例えば位置決め孔８０の内周壁が後方へ行くに従い拡径される構成であったり、真っ直ぐに延設されているのでなく段差を有する構成であったりした場合には、位置決め孔８０の内周壁が、前後方向に向けて真っ直ぐに延設されている場合と比べて、位置決め孔８０の内周壁を外径方向へ向けて押圧する当該各挿入分割部７１ａを前方へ抜き取ることがより困難となる。つまり、かかる場合には、位置決め突起７０が位置決め孔８０から容易に抜けることを一層防止することができる。
【００４９】
また、弾性変形部７２ａの復元力が作用して、当該各挿入分割部７１ａの外周壁が位置決め孔８０の内周壁を外径方向へ向けて押圧する場合、さらに詳細に言えば、挿入部７１の前端部の周縁部が位置決め孔８０の内周壁に当接した状態となっている。換言すれば、図８（ｂ）に示すように、位置決め孔８０の内周壁に対して挿入部７１の前端部（根元部）の周縁部がいわゆる「エッジが立つ」状態となっている。したがって、例えば位置決め孔８０が穿設されている遊技盤５０が、ベニア板等の弾性変形可能な部材で形成されていれば、挿入部７１の前端部の周縁部が前記復元力の作用により外径方向へ向けて押圧され、当該外径方向へ凹む（弾性変形する）こととなる。つまり、挿入部７１の前端部の周縁部が位置決め孔８０の内周壁に係止された状態となり、位置決め突起７０が位置決め孔８０から容易に抜けることを一層防止することができる。
【００５０】
また、位置決め突起７０の挿入が終了した状態においても、位置決め突起７０（センター役物５８）は位置決め孔８０（遊技盤５０）に完全に固定された状態となっていない。したがって、適度な力により位置決め突起７０を位置決め孔８０から抜き取ることができる。また、かかる場合には、前述したように位置決め孔８０の内周壁が、位置決め突起７０により外径方向へ凹んでいた（弾性変形していた）としても、復元力により形状を復元させることができる。
なお、前記「適度な力」とは、工具等を用いずとも人力によりセンター役物５８を抜き取り可能な力の程度である。また、かかる場合であっても、センター役物５８を遊技盤５０にネジ６６を用いて固定する際に、位置決め突起７０は、当該センター役物５８が当該遊技盤５０に対して、ガタつくことない程度に位置決め孔８０に押し込まれている（当接している）ものとする。
【００５１】
以上のように、遊技機１は、センター役物５８（第一構成部材）と遊技盤５０（第二構成部材）とを互いに固定された状態で備える遊技機であって、前記センター役物５８（第一構成部材）には、前記遊技盤５０（第二構成部材）側へ向けて突出する位置決め突起７０（突起）が設けられ、前記位置決め突起７０（突起）には、根元側から先端側へ行くに従い先細り状に形成される挿入部７１と、前記挿入部７１の根元側に連設されて、当該挿入部７１における根元部の外形よりも内側に凹んだ外形を有する台座部７２と、前記挿入部７１の先端部から前記台座部７２の少なくとも一部に渡って形成されて前記位置決め突起７０（突起）を径方向に分割するスリット部７３と、が設けられ、前記遊技盤５０（第二構成部材）には、前記センター役物５８（第一構成部材）の前記位置決め突起７０（突起）が挿入可能であり、且つ、挿入された当該位置決め突起７０（突起）を抜き出し可能な位置決め孔８０（挿入孔）が設けられ、前記センター役物５８（第一構成部材）と前記遊技盤５０（第二構成部材）とが互いに固定される位置にて当接されると、前記位置決め突起７０（突起）が前記位置決め孔８０（挿入孔）に挿入され、当該位置決め突起７０（突起）の前記挿入部７１の根元部が当該位置決め孔８０（挿入孔）の内周壁に当接されるものである。
【００５２】
このような構成により、遊技機１は、当該遊技機１の形状が復元できないように変形することなく、遊技機を構成している構成部材（第一の構成部材）であるセンター役物５８を他の構成部材（第二の構成部材）である遊技盤５０に設定された所定の取り付け位置に正確に位置決めすることができる。
【符号の説明】
【００５３】
１：遊技機，５０：遊技盤５０（第二の構成部材），５８：センター役物（第一の構成部材），７０：位置決め突起（突起），７１：挿入部，７２：台座部，７３：スリット部，８０：位置決め孔（挿入孔），Ｗ１：挿入部の最大外径，Ｗ２：台座部の最大外径，Ｗ３：位置決め孔の内径
【図１】
2012081009.tif 000003
【図２】
2012081009.tif 000004
【図３】
2012081009.tif 000005
【図４】
2012081009.tif 000006
【図５】
2012081009.tif 000007
【図６】
2012081009.tif 000008
【図７】
2012081009.tif 000009
【図８】
2012081009.tif 000010
【図９】
2012081009.tif 000011